(57)【要約】      （修正有）【課題】特別なビューファインダーを用いることなく、ビデオカメラ映像とリターン映像との切り替えを可能にする。【解決手段】カメラアダプタは、ビデオカメラからのビデオカメラ映像信号を含む第１電気信号を第１光信号に変換してベースステーションに伝送し、ベースステーションは、第１光信号を受信して第１電気信号に変換して外部出力し、且つスイッチャーからのリターン映像信号を含む第２電気信号を第２光信号に変換してカメラアダプタに伝送し、第２光信号を受信して第２電気信号に変換し、ビデオカメラ映像信号及びリターン映像信号は、何れもデジタル映像信号であり、リターン信号を含む制御信号の入力を受け付ける制御信号入力部と、リターン信号の状態に基づいて第１電気信号のビデオカメラ映像信号又は第２電気信号のリターン映像信号を外部出力する映像選択部と、制御信号からリターン信号以外の制御信号を出力する制御信号分離部とを備える。【選択図】図１
2014027617.tif 000002
【特許請求の範囲】
【請求項１】
ビデオカメラ側に配置されるカメラアダプタと、前記ビデオカメラから離れた位置に配置されるベースステーションとの間で光信号を光伝送する光伝送システムにおいて、
前記カメラアダプタは、前記ビデオカメラからのビデオカメラ映像信号を含む第１電気信号を第１光信号に変換して前記ベースステーションに伝送し、
前記ベースステーションは、第１光信号を受信して第１電気信号に変換して外部出力し、且つスイッチャーからのリターン映像信号を含む第２電気信号を第２光信号に変換して前記カメラアダプタに伝送し、
前記カメラアダプタは、第２光信号を受信して第２電気信号に変換し、
前記ビデオカメラ映像信号及びリターン映像信号は、何れもデジタル映像信号であり、
前記カメラアダプタは、リターン信号を含む制御信号の入力を受け付け且つ前記制御信号から前記リターン信号以外の制御信号を出力する制御信号分離部と、前記制御信号中のリターン信号の状態に基づいて第１電気信号の前記ビデオカメラ映像信号又は第２電気信号の前記リターン映像信号を外部出力する映像選択部とを備える、光伝送システム。
【発明の詳細な説明】
【技術分野】
【０００１】
本発明は、ビデオカメラ側に配置されるカメラアダプタと、前記ビデオカメラから離れた位置に配置されるベースステーションとの間で光信号を光伝送する光伝送システムに関する。
【背景技術】
【０００２】
ビデオカメラで撮影された映像の映像信号は、伝送ケーブルを介して、スイッチャーに送られるが、これらの機器が遠方に設置されている場合、電気信号を減衰させずに伝送することは困難なので、ビデオカメラ側に配置されたカメラアダプタで電気信号を光信号に変換し、この光信号を光伝送ケーブルを介して伝送し、遠方機器側に配置されたベースステーションで光信号を電気信号に変換することによって、長距離伝送が行われている。この長距離伝送は、通常は、双方向であり、ベースステーション側からは、スイッチャーが採用している映像（以下、「リターン映像」）の信号がカメラアダプタに光伝送される。
【０００３】
ところで、放送用のビデオカメラは、一般に、スイッチャーからのリターン映像信号を入力でき、ビデオカメラに装着されたレンズのリターンボタンを押すか、又はビデオカメラに接続されたレンズにズームリモコンを装着して、このリモコンのリターンボタンを押してビューファインダーの映像表示を、現在撮影している映像（以下，「ビデオカメラ映像」と称する）と、スイッチャーからのリターン映像とを切り替える機能を有している。
【０００４】
近年、ビデオカメラの性能が向上し、放送用途に設計された非常に高価なビデオカメラを用いなくても、より安価なビデオカメラでも放送に耐えうる品質の映像を撮影することが可能になってきた。このようなカメラは、映像の品質は良くても、放送用途を考慮して設計されていないため、リターン映像をカメラ本体に入力することができない。このため、映像品質の点で十分であっても、安価なビデオカメラを放送用に用いることができなかった。
【０００５】
このような状況において、安価なビデオカメラを放送用に転用することを可能にするビューファインダーとして、特許文献１には、ビデオカメラ映像とリターン映像との切り替えを可能にするビューファインダーが開示されている。
【先行技術文献】
【特許文献】
【０００６】
【特許文献１】特開２０１１−２２３５４１号公報
【発明の概要】
【発明が解決しようとする課題】
【０００７】
しかし、特許文献１に記載のビューファインダーを利用するには、このような特別なビューファインダーをビデオカメラとは別に購入することが必要になるという問題がある。
【０００８】
本発明はこのような事情に鑑みてなされたものであり、特別なビューファインダーを用いることなく、ビデオカメラ映像とリターン映像との切り替えを可能にする光伝送システムを提供するものである。
【課題を解決するための手段】
【０００９】
本発明によれば、ビデオカメラ側に配置されるカメラアダプタと、前記ビデオカメラから離れた位置に配置されるベースステーションとの間で光信号を光伝送する光伝送システムにおいて、
前記カメラアダプタは、前記ビデオカメラからのビデオカメラ映像信号を含む第１電気信号を第１光信号に変換して前記ベースステーションに伝送し、
前記ベースステーションは、第１光信号を受信して第１電気信号に変換して外部出力し、且つスイッチャーからのリターン映像信号を含む第２電気信号を第２光信号に変換して前記カメラアダプタに伝送し、
前記カメラアダプタは、第２光信号を受信して第２電気信号に変換し、
前記ビデオカメラ映像信号及びリターン映像信号は、何れもデジタル映像信号であり、
前記カメラアダプタは、リターン信号を含む制御信号の入力を受け付ける制御信号入力部と、前記リターン信号の状態に基づいて第１電気信号の前記ビデオカメラ映像信号又は第２電気信号の前記リターン映像信号を外部出力する映像選択部と、前記制御信号から前記リターン信号以外の制御信号を出力する制御信号分離部とを備える、光伝送システムが提供される。
【００１０】
本発明の光伝送システムが主に対象とするビデオカメラは、ビデオカメラ映像と、数秒前に撮影されてカメラ本体に記録されている映像（以下、「直前録画映像」と称する）とをリモコンを用いて切り替える機能を有しているビデオカメラである。このようなビデオカメラでは、リモコンからのリターン信号に基づいてビデオカメラ映像と直前録画映像とが切り替えられる。リモコンからの出力は、リターン信号のみではなく、通常は、ズーム調整を行う信号や、録画のスタート／ストップを操作する信号なども含まれている。これらの信号を「制御信号」と総称する。
【００１１】
本発明では、リモコンが出力した、リターン信号を含む制御信号をビデオカメラに入力する代わりに、この制御信号を本発明のカメラアダプタに入力する。本発明のカメラアダプタは、映像選択部を有しており、この映像選択部には、ビデオカメラ映像信号とリターン映像信号が入力され、リモコンからのリターン信号に基づいて、ビデオカメラ映像信号又はリターン映像信号を外部出力する。このような構成にすることによって、リモコンを用いてビデオカメラ映像とリターン映像を切り替えることができ、リターン映像をカメラ本体に入力することができない安価なビデオカメラをテレビ放送用に使用することが可能になる。また、特許文献１で開示されているような特別な構成のビューファインダーも不要になる。
【００１２】
上記の構成によって、ビデオカメラ映像とリターン映像の切り替えは可能であるが、一つ問題がある。それは、リモコンが出力した制御信号をビデオカメラに入力する代わりに本発明のカメラアダプタの映像装置に入力しているため、リターン信号以外の制御信号も本発明のカメラアダプタに入力され、その結果、ズーム調整や録画のスタート／ストップをリモコンを用いて行うことができなくなるという問題である。本発明では、この問題を解決するために、リターン信号以外の制御信号を本発明のカメラアダプタから出力し、この出力をビデオカメラに入力するという構成になっている。このような構成によって、リターン信号以外の制御信号が正常にビデオカメラに入力され、上記の問題が解決される。本発明のカメラアダプタからの制御出力から、リターン信号を除いているのは、リターン信号がビデオカメラに入力されると、リターン映像を確認する際に、ビデオカメラがビデオカメラ映像の録画を中止して直前録画映像を出力してしまうという問題があるからである。
以上より、本発明のカメラアダプタを有する光伝送システムを用いることにより、従来は放送用途に使用することができなかった安価なビデオカメラを放送用途に使用することができる。
【００１３】
ビデオカメラ側からの第１光信号と、スイッチャー側からの第２光信号は、異なる伝送波長を有することが好ましい。この場合、同じ光伝送ケーブルを用いて伝送を行なっても両者が干渉することがないからである。
【図面の簡単な説明】
【００１４】
【図１】本発明の第１実施形態の光伝送システムを示すブロック図である。
【図２】本発明の第１実施形態の光伝送システムで利用可能なペン型リターンスイッチ装置を示す。
【図３】本発明の第１実施形態での制御信号分離部及び映像選択部の回路構成の一例を示す。
【図４】本発明の第２実施形態の光伝送システムを示すブロック図である。
【発明を実施するための形態】
【００１５】
１．第１実施形態
１−１．光伝送システムの構成
以下、図１を用いて、本発明の第１実施形態の光伝送システムについて説明する。本実施形態の光伝送システムは、ビデオカメラ側に配置されるカメラアダプタ１と、前記ビデオカメラから離れた位置に配置されるベースステーション３との間で光信号を光伝送する光伝送システムにおいて、カメラアダプタ１は、前記ビデオカメラからのビデオカメラ映像信号を含む第１電気信号を第１光信号に変換してベースステーション３に伝送し、ベースステーション３は、第１光信号を受信して第１電気信号に変換して外部出力し、且つスイッチャーからのリターン映像信号を含む第２電気信号を第２光信号に変換してカメラアダプタ１に伝送し、カメラアダプタ１は、第２光信号を受信して第２電気信号に変換し、前記ビデオカメラ映像信号及びリターン映像信号は、何れもデジタル映像信号であり、カメラアダプタ１は、リターン信号を含む制御信号の入力を受け付け且つ前記制御信号から前記リターン信号以外の制御信号を出力する制御信号分離部１７と、前記制御信号中のリターン信号の状態に基づいて第１電気信号の前記ビデオカメラ映像信号又は第２電気信号の前記リターン映像信号を外部出力する映像選択部１５とを備える。
以下、各構成要素について説明する。
【００１６】
１−２．カメラアダプタ１
カメラアダプタ１には、ビデオカメラ映像信号入力端子１９、選択映像信号出力端子２１、制御信号入力端子２３、制御信号出力端子２５、及び光伝送ケーブル５の接続端子２７が設けられている。
【００１７】
ビデオカメラ映像信号入力端子１９には、ビデオカメラの映像信号出力端子に接続されるケーブルが接続される。選択映像信号出力端子２１には、ビデオカメラ用のビューファインダー等の映像表示装置の映像信号入力端子に接続されるケーブルが接続される。制御信号入力端子２３には、リターン信号を含む制御信号を出力するリモコンが接続される。このリモコンとしては、リターン信号に加えてズーム調整を行う信号や、録画のスタート／ストップを操作する信号も出力するリモコンものであってもよく、リターン信号のみを出力する、図２に示すようなペン型スイッチリモコン８０であってもよい。制御信号出力端子２５には、ビデオカメラ又はレンズに設けられたリモコン接続端子に接続されるケーブルが接続される。光伝送ケーブル５の接続端子には、カメラアダプタ１とベースステーション３を接続する光伝送ケーブル５が接続される。
【００１８】
１−３．ベースステーション３
ベースステーション３には、ビデオカメラ映像信号出力端子２９、リターン映像信号入力端子３１、光伝送ケーブル５の接続端子３３が設けられている。
【００１９】
ビデオカメラ映像信号出力端子２９には、スイッチャーや中継機器などの外部機器の映像信号入力端子に接続されるケーブルが接続される。リターン映像信号入力端子３１には、スイッチャーのリターン映像信号出力端子に接続されるケーブルが接続される。光伝送ケーブル５の接続端子３３には、カメラアダプタ１とベースステーション３を接続する光伝送ケーブル５が接続される。
【００２０】
１−４．光伝送システムの動作
まず、カメラアダプタ１には、ビデオカメラからのビデオカメラ映像信号が入力される。このビデオカメラ映像信号は、そのまま第１電気信号となり、カメラアダプタ１内のＥＯ変換部７によって第１光信号に変換され、第１光信号が光伝送ケーブル５を介してベースステーション３へ伝送される。ビデオカメラ映像信号は、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。
【００２１】
ベースステーション３では、ＯＥ変換部９において第１光信号を受信して第１電気信号に変換し、この信号をビデオカメラ映像信号として、スイッチャーや中継装置などの外部機器に出力する。
【００２２】
また、ベースステーション３には、スイッチャーからのリターン映像信号が入力される。リターン映像信号は、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。このリターン映像信号は、そのまま第２電気信号となり、第２電気信号は、ＥＯ変換部１１において第２光信号に変換されてカメラアダプタ１に伝送される。第２光信号は、第１光信号と異なる光ファイバを用いて伝送してもよく、多重化によって第１光信号と同じ光ファイバを用いて伝送してもよい。多重化は、波長分割多重、周波数分割多重化、時分割多重化、符号分割多重化などの種々の多重化方式が採用可能である。
【００２３】
カメラアダプタ１は、ＯＥ変換部１３において第２光信号を受信して第２電気信号に変換する。制御信号分離部１７は、リターン信号を含む制御信号の入力を受け付け、前記制御信号から前記リターン信号以外の制御信号を出力する。映像選択部１５は、前記制御信号中のリターン信号の状態に基づいて、第１電気信号中のビデオカメラ映像信号、又は第２電気信号中のリターン映像信号を外部出力する。制御信号分離部１７及び映像選択部１５の回路構成例を図３に示す。映像選択部１５は、例えば、リターン信号がＨ（ハイ）のときにビデオカメラ映像信号を出力し、リターン信号がＬ（ロー）のときにリターン映像信号を出力する。リターン信号以外の制御信号は、ズーム調整を行う信号や、録画のスタート／ストップを操作する信号などであり、これらの信号はビデオカメラに入力され、ズーム調整や録画のスタート／ストップの制御に用いられる。
【００２４】
以上の構成によれば、特別な構成のビューファインダを用いることなく、リターン映像の入力端子を有さない安価なビデオカメラを放送用に利用することが可能になる。
【００２５】
２．第２実施形態
以下、図４を用いて、本発明の第２実施形態の光伝送システムについて説明する。本実施形態の光伝送システムでは、ベースステーション３にタリー信号入力端子３３を設け、この端子３３を通じてタリー信号を入力する。タリー信号からなる第３電気信号は、ＥＯ変換部１１によって第３光信号に変換され、第３光信号が光伝送ケーブル５を通じてカメラアダプタ１に伝送される。カメラアダプタ１は、ＯＥ変換部１３において、第３光信号を第３電気信号に変換し、タリー表示制御部３５は、タリー信号からなる第３電気信号に基づいてタリー表示部３７でのタリー表示の制御を行う。タリー表示制御部３５は、タリー信号の電圧に基づいてタリー表示部３７での発光色を決定することが好ましい。この構成によって、タリー表示部３７の発光色を変えたい場合でも、タリー信号の信号線を一本にすることができる。例えば、タリー信号の電圧が２〜４Ｖの場合にタリー表示部３７を緑色に発光させ、タリー信号の電圧が５Ｖ以上の場合にタリー表示部３７を赤色に発光させることが可能にある。一般に、緑色のタリー表示は、カメラアダプタ１が装着されているビデオカメラの映像をスイッチャーが次に使用するつもりであることを伝えるための表示であり，赤色のタリー表示は、カメラアダプタ１が装着されているビデオカメラの映像をスイッチャーが現在使用していることを伝えるための表示である。
【００２６】
カメラアダプタ１は、通常、ビデオカメラの後側に装着されるので、カメラアダプタ１にタリー表示部３７を設けることによって、カメラマンは、タリーの状態を容易に把握することができる。
【００２７】
第１〜第３光信号は、それぞれ別の光ファイバを用いて伝送を行なってもよく、多重化によって同じ光ファイバを用いて伝送を行なってもよい。多重化は、波長分割多重、周波数分割多重化、時分割多重化、符号分割多重化などの種々の多重化方式が採用可能である。また、第２〜第３電気信号を合成して一つの電気信号とした後に、光信号に変換して伝送を行なってもよい。この電気信号がＡＮＣ領域を有するＳＤＩ信号（例：ＨＤ−ＳＤＩ信号、ＳＤ−ＳＤＩ、３Ｇ−ＳＤＩ信号）である場合、タリー信号は、このＳＤＩ信号のＡＮＣ領域に挿入可能である。
【図１】
2014027617.tif 000003
【図２】
2014027617.tif 000004
【図３】
2014027617.tif 000005
【図４】
2014027617.tif 000006